(57)【要約】【課題】浴室用椅子をワンタッチでしかも安定的に掛止可能になると共に、市販のほとんどの浴室用椅子に対応可能となり、これにより、安価でしかも簡易的に浴室用椅子を収納し得る浴室用椅子掛止具を提供すること。【解決手段】浴室壁３に固定され、浴室内に開放される縦長の凹部４を有する掛止具ベース５と、上記掛止具ベース５の凹部４から取り出し可能とされ、先端部が浴室用椅子２に引っ掛かり可能な掛止具フック６とを備えると共に、上記掛止具ベース５の凹部４よりも下端側に、浴室用椅子２の座部２ａ中央に開口した既設の水抜き用穴２ｂに掛止具フック６を引っ掛けた状態で、下方に垂れる浴室用椅子２の周壁部２ｃと接触する接触部５ａを備えた浴室用椅子掛止具１である。【選択図】図１
2009077818.tif 000002
【特許請求の範囲】
【請求項１】
浴室用椅子を掛止する浴室用椅子掛止具であって、浴室壁に固定され、浴室内に開放される縦長の凹部を有する掛止具ベースと、上記掛止具ベースの凹部から取り出し可能とされ、先端部が浴室用椅子に引っ掛かり可能な掛止具フックとを備えると共に、上記掛止具ベースの凹部よりも下端側に、浴室用椅子の座部中央に開口した既設の水抜き用穴に掛止具フックを引っ掛けた状態で、下方に垂れる浴室用椅子の周壁部と接触する接触部を備えたことを特徴とする浴室用椅子掛止具。
【請求項２】
上記掛止具フックの取り出し角度を自由に調整可能にすると共に調整後の取り出し角度にて掛止具フックを保持することができる角度調整保持手段を設けたことを特徴とする請求項1記載の浴室用椅子掛止具。
【発明の詳細な説明】
【技術分野】
【０００１】
本発明は、浴室用椅子を掛止する浴室用椅子掛止具に関するものである。
【背景技術】
【０００２】
一般に、浴室内で使用される浴室用椅子、洗い場の床面に無造作に置かれており、浴室用椅子を使わない場合に邪魔になったり、浴室用椅子の裏側や床面に設置される部分はヌメリ、カビが発生する原因となっており、特に、浴室用椅子の周壁部下端付近は床面の傷防止のために軟質材が使用されており、この部分にヌメリ・カビが生えやすく、しかも除去がしづらいという問題がある。
【０００３】
そこで、従来より浴室用椅子の周壁部を引っ掛けて収納する収納装置が知られている（例えば、特許文献１参照）。
【０００４】
ところが、上記特許文献１に見られる収納装置は、壁面に開口部を設け、その開口部に収納装置を埋め込んだ構造であり、このため取り付け作業が大掛かりであると同時に、収納装置が壁裏に出っ張る構造となるため、間柱等の干渉を考慮する必要があり、取り付け位置の自由度が小さいという問題がある。さらに、浴室用椅子の大きさや形状はここ数年来、さまざまな種類が存在し、特に近年は座部が高く大型化しているため、特許文献１の収納装置においては大型の浴室用椅子は安定的に引っ掛けることかできないという問題があった。
【０００５】
また他の従来例として、浴室カウンター下方の壁面から前方に向けて係止具を突設し、そこに浴室用椅子を吊り下げ保持する構造（例えば、特許文献２参照）が知られているが、この構造では係止具に吊り下げる浴室用椅子の形状が制限され、特殊形状の浴室用椅子にしか使用できないものであり、市販の浴室用椅子には使用できないという問題を有している。
【０００６】
このため、従来からは、一般に市販されている浴室用椅子を安価な方法でしかも簡単に且つ安定的に収納し得るものはなかった。
【特許文献１】特開平９−８８３５９号公報
【特許文献２】特開２００３−５２５６６号公報
【発明の開示】
【発明が解決しようとする課題】
【０００７】
本発明は上記の従来の問題点に鑑みて発明したものであって、浴室用椅子をワンタッチでしかも安定的に掛止可能となると共に、市販のほとんどの浴室用椅子に対応可能となり、これにより、安価でしかも簡易的に浴室用椅子を収納し得る浴室用椅子掛止具を提供することを課題とするものである。
【課題を解決するための手段】
【０００８】
前記課題を解決するために本発明は、浴室用椅子２を掛止する浴室用椅子掛止具であって、浴室壁３に固定され、浴室内に開放される縦長の凹部４を有する掛止具ベース５と、上記掛止具ベース５の凹部４から取り出し可能とされ、先端部が浴室用椅子２に引っ掛かり可能な掛止具フック６とを備えると共に、上記掛止具ベース５の凹部４よりも下端側に、浴室用椅子２の座部２ａ中央に開口した既設の水抜き用穴２ｂに掛止具フック６を引っ掛けた状態で、下方に垂れる浴室用椅子２の周壁部２ｃと接触する接触部５ａを備えたことを特徴としている。
【０００９】
このような構成とすることで、浴室用椅子２を使わない場合は、掛止具フック６を凹部４から取り出して掛止具フック６の先端部に浴室用椅子２の水抜き用穴２ｂを引っ掛けることができる。またこのとき下方に垂らした浴室用椅子２の周壁部２ｃが掛止具ベース５の接触部５ａが接触することで、浴室用椅子２をワンタッチでしかも安定的に掛止できるようになる。
【００１０】
また、上記掛止具フック６の取り出し角度θを自由に調整可能にすると共に調整後の取り出し角度θ１，θ２…にて掛止具フック６を保持することができる角度調整保持手段２０を設けるのが好ましく、この場合、浴室用椅子２の大きさや形状に合わせて掛止具フック６の取り出し角度θ１，θ２…を調整できて且つ保持できるので、さまざまな大きさ、形状の浴室用椅子２の安定掛止にも十分に対応可能となる。
【発明の効果】
【００１１】
本発明に係る浴室用椅子掛止具は、浴室用椅子をワンタッチでしかも安定的に掛止可能にできると共に、市販のほとんどの浴室用椅子に対応可能となるので、安価でしかも簡易的に浴室用椅子を収納し得る効果を奏するものである。
【発明を実施するための最良の形態】
【００１２】
以下、本発明を添付図面に示す実施形態に基いて説明する。
【００１３】
図１は本発明の一実施形態の浴室用椅子掛止具１の使用状態を説明する側面断面図であり、図２は外観図である。
【００１４】
浴室用椅子掛止具１は、浴室壁３に固定される掛止具ベース５と、掛止具ベース５に取り出し可能に収納される掛止具フック６と、取り出した掛止具フック６を下方から支える掛止具フック支えバー７とを備える。
【００１５】
掛止具ベース５は、中央部に凹部４が設けられた縦長板状に形成されており、ビスにて壁面に取り付け可能とされる。凹部４よりも下端側は、掛止具フック６の先端部を浴室用椅子２の水抜き用穴２ｂに引っ掛けた状態で、下方に垂れる浴室用椅子２の周壁部２ｃが接触する縦長の接触部５ａとなっている。
【００１６】
上記掛止具ベース５の凹部４内には、掛止具フック６が取り出し可能に収納される。掛止具フック６の上端部は掛止具ベース５に回動自在に支持されており、掛止具フック６の先端部には引っ掛け部６ａが設けられる。引っ掛け部６ａは、市販されている浴室用椅子２の座部２ａの水抜き用穴２ｂに引っ掛け可能な形状と寸法とを有している。本例の引っ掛け部６ａは、浴室用椅子２を安定的に掛止めできるようにＬ字状をしている。なお掛止具フック６の材質としてはステンレスパイプ、樹脂材料その他の材料を使用できる。
【００１７】
上記掛止具フック支えバー７は、一端が掛止具フック６に枢支されており、他端を掛止具ベース５に設けた係止溝１０に係止させることで、掛止具フック６を下方から支えるものであり、この掛止具フック支えバー７によって掛止具フック６が所定の取り出し角度θで保持されるようになっている。
【００１８】
なお、浴室用椅子２は、一般に市販されている下面開放状の略箱型を成している。図６にその一例を示す。図６（ａ）は箱型椅子、（ｂ）は丸型椅子であり、いずれの場合も、座部２ａ中央には四角形或いは円形の水抜き用穴２ｂが開いている。この水抜き用穴２ｂは、最低限、指が入り、尚且つ、座って違和感のない程度の大きさの穴となっている。さらに図６（ｃ）（ｄ）に示すように、水抜き用穴２ｂ回りは丸みのある形状２ｄをしている。なお周壁部２ｃの高さは約１８０ｍｍ〜３５０ｍｍ程度が一般的である。
【００１９】
しかして、浴室用椅子２を使わない場合は、凹部４から掛止具フック６を前方に取り出して、掛止具フック支えバー７によって下方から支える。この状態で、図３（ａ）（ｂ）に示すように、掛止具フック６の引っ掛け部６ａに、浴室用椅子２の座部２ａ中央に開口した既設の水抜き用穴２ｂを下方から挿入した状態で、浴室用椅子２の周壁部２ｃを下方に垂らすと、丁度、下向きとなったところで、引っ掛け部６ａが水抜き用穴２ｂに引っ掛かった状態（図３（ｃ）の状態）となり、このとき、図１に示すように、下方に垂れさがった浴室用椅子２の周壁部２ｃが掛止具ベース５の下端に設けた接触部５ａに接触することで、浴室用椅子２を安定的な吊り下げ状態で掛止できるようになる。このとき接触部５ａは縦長になっているので、異なる高さ寸法の浴室用椅子２に十分に対応できるようになる。従って、市販されている一般的な浴室用椅子２なら大きさや形状を選ぶ必要がなく、それでいて安価でしかも簡易的に浴室用椅子２を収納し得る浴室用椅子掛止具１が得られる。しかも、浴室用椅子２の周壁部２ｃを下向きにして掛止できるので、水切性が良好であるうえに、洗い場の床面に置かなくてよいため、浴室用椅子２にヌメリ、カビが発生するのを防止できて、清潔に保つことができ、衛生上良好となる。そのうえ、浴室用椅子２を座部２ａを上向き、周壁部２ｂを下向きにして吊り下げるので、汚れのある浴室用椅子２の裏面や周壁部２ｃ下端が目立つようなことがなく、また従来のように壁に開口を設けたり、壁裏に出っ張りが生じたりすることもなく、結果、浴室内の美観を保持しながら、清掃作業性及び衛生上の向上を図ることができるようになる。
【００２０】
また、浴室用椅子掛止具１を使用しないときは、掛止具フック６を掛止具ベース５の凹部４内に収納できるので、掛止具フック６が前方に飛び出さず、外観性だけでなく安全性にも優れたものとなる。
【００２１】
また本例の掛止具ベース５は縦長で且つ横幅の狭いコンパクトなサイズを有しているので、洗い場の壁や浴槽上の壁など、浴室壁のどの部分にも外観良く取り付けることができる利点もある。
【００２２】
ここで、掛止具フック６の取り出し角度θを自由に調整可能にすると共に調整後の取り出し角度θ１，θ２…にて掛止具フック６を保持する角度調整保持手段２０を設けるのが好ましい。その一例を図４に示す。
【００２３】
図４の例では、掛止具ベース５の係止溝１０を上下複数箇所（本例では２箇所）に設けると共に、掛止具フック支えバー７の一端を掛止具フック６に回動自在に枢支し、掛止具フック支えバー７の他端をいずれか１つの係止溝１０に係止させるようにしたものであり、任意の係止溝１０を選択することで、掛止具フック６を任意の取り出し角度θ１，θ２に変更できると共に、いずれの取り出し角度θ１，θ２においても掛止具フック支えバー７にて掛止具フック６を下方から安定良く支えることができるものである。他の構成は図１の実施形態と同様である。
【００２４】
しかして、浴室用椅子２の寸法が大きい場合は掛止具フック６を大きな取り出し角度θ２とし、浴室用椅子２の寸法が小さい場合は掛止具フック６を小さな取り出し角度θ１とする。またいずれの角度θ１、θ２の場合も、掛止具フック支えバー７によって支えることができると共に、掛止具ベース５の縦長の接触部５ａを利用して浴室用椅子２の周壁部２ｃを安定支持できるので、大きさの異なる浴室用椅子２の安定掛止に十分に対応できるものである。
【００２５】
前記図４の例では、掛止具フック支えバー７と複数の係止構１０とで角度調整保持手段２０を構成したが、他の例として、掛止具ベース５の凹部４に図５に示す角度調整保持手段としてのサポート金具２０を取り付けたものであってもよい。本例の掛止具フック６は例えば、可撓性を有するＵ字型のステンレスパイプで構成され、パイプ材６ｂ，６ｃの各先端がサポート金具２０の開口部から内部に挿入されて回動自在に軸支されていると共に、パイプ材６ｂ，６ｃの基端の連結部分は引っ掛け部６ａとなっている。このパイプ材６ｂ，６ｃは常に開く方向に付勢されている。一方、サポート金具２０の開口部には上下方向に左右複数（本例では左右２個）の係止溝２１，２２が設けられており、掛止具フック6を左右の係止溝２１に係止させた場合は、掛止具フック６の取り出し角度がθ１となり、掛止具フック６をさらにその上の左右の係止溝２２に係止させた場合は、掛止具フック６の取り出し角度がθ２（＞θ１）となり、且つ、いずれの場合も、掛止具フック６はその弾性力によって係止溝２１又は２２に確実に嵌まり込み、その角度で安定保持されるようなっている。
【００２６】
しかして本例では、寸法が小さい浴室用椅子２を吊り下げる場合は、（ｄ）のように掛止具フック６のパイプ材６ｂ，６ｃを係止溝２１に係止させることで小さな取り出し角度θ１で保持でき、寸法が大きい浴室用椅子２を吊り下げる場合は、（ｅ）のように掛止具フック６のパイプ材６ｂ，６ｃを係止溝２２に係止させることで大きな取り出し角度θ２で保持できるので、いずれの取り出し角度θ１，θ２においても係止溝２１又は２２によって掛止具フック６を安定良く保持できるものである。これにより、図４の実施形態と同様な作用効果（浴室用椅子２の大きさや形状に合わせて掛止具フック６の取り出し角度θ１，θ２を調整し且つその角度で保持できると共に、掛止具ベース５の縦長の接触部５ａを利用して浴室用椅子２の周壁部２ｃを安定支持できるので、さまざまな大きさ、形状の浴室用椅子２の安定掛止にも十分に対応可能となる。さらに、浴室用椅子掛止具1を使わないときは図５（ｃ）のように掛止具フック６を凹部4内に収納できる。）が得られ、そのうえ本例では、図４で用いた掛止具フック支えバー７と係止溝１０とが不要となる。つまり、掛止具フック支えバー７を用いなくても掛止具フック６をサポート金具２０で支えることができる構造となるので、掛止具ベース５の構成を簡素化できるという利点もある。
【００２７】
なお前記図５の他例として、掛止具ベース５を省略して、角度調整保持手段としてのサポート金具２０を浴室壁３に直接取り付けて使用することも可能である。この場合、サポート金具２０よりも下方の浴室壁３の壁面を利用して浴室用椅子２の周壁部２ｃを支持するものであってもよいし、また壁面に接触部としての凸形状の部材を別途取り付けることも可能である。
【図面の簡単な説明】
【００２８】
【図１】本発明の一実施形態の浴室用椅子掛止具の使用状態を説明する側面断面図である。
【図２】（ａ）は同上の浴室用椅子掛止具の正面図、（ｂ）は側面図である。
【図３】（ａ）〜（ｃ）は同上の浴室用椅子掛止具の使用状態の説明図である。
【図４】他の実施形態であり、（ａ）は浴室用椅子掛止具の正面図、（ｂ）は側面図、（ｃ）は掛止具フックの取り出し角度が小さい場合の説明図、（ｄ）は掛止具フックの取り出し角度が大きい場合の説明図である。
【図５】更に他の実施形態であり、（ａ）は角度調整手段を構成するサポート金具の斜視図、（ｂ）は正面図、（ｃ）は掛止具フックを収納した状態の側面図、（ｄ）は掛止具フックの取り出し角度が小さい場合の説明図、（ｅ）は掛止具フックの取り出し角度が大きい場合の説明図である。
【図６】浴室用椅子の一例を示し、（ａ）箱型椅子、（ｂ）は丸型椅子、（ｃ）は側面断面図、（ｄ）は水抜き用穴回りを丸みのある形状とした場合の説明図である。
【符号の説明】
【００２９】
１  浴室用椅子掛止具
２  浴室用椅子
２ａ  座部
２ｂ  水抜き用穴
２ｃ  周壁部
３  浴室壁
４  凹部
５  掛止具ベース
５ａ  接触部
６  掛止具フック
２０  角度調整保持手段
【図１】
2009077818.tif 000003
【図２】
2009077818.tif 000004
【図３】
2009077818.tif 000005
【図４】
2009077818.tif 000006
【図５】
2009077818.tif 000007
【図６】
2009077818.tif 000008